(57)【特許請求の範囲】
【請求項１】
入力電圧が共通に印加される第１及び第２の電源回路を含み、少なくとも前記第２の電源回路は自回路を活性状態に制御する制御端子を有する電源システムであって、
前記入力電圧の印加に応答して出力される前記第１の電源回路の出力を基に、前記第２の電源回路を活性状態とすべく前記第２の電源回路の前記制御端子に対して活性制御信号を出力する制御手段を有する電源投入順序制御回路を含み、
前記制御手段は、さらに、前記第２の電源回路の出力を基に、前記第２の電源回路の前記制御端子に対して前記活性制御信号を出力することを特徴とする電源システム。
【請求項２】
前記第１及び第２の電源回路は、オンボード電源であり、
前記制御端子は、リモートコントロール端子であることを特徴とする請求項１記載の電源システム。
【請求項３】
入力電圧が共通に印加される第１及び第２の電源回路を含み、少なくとも前記第２の電源回路は自回路を活性状態に制御する制御端子を有する電源システムにおける電源投入順序制御回路であって、
前記入力電圧の印加に応答して出力される前記第１の電源回路の出力を基に、前記第２の電源回路を活性状態とすべく前記第２の電源回路の前記制御端子に対して活性制御信号を出力する制御手段を含み、
前記制御手段は、さらに、前記第２の電源回路の出力を基に、前記第２の電源回路の前記制御端子に対して前記活性制御信号を出力することを特徴とする電源投入順序制御回路。
【請求項４】
前記第１及び第２の電源回路は、オンボード電源であり、
前記制御端子は、リモートコントロール端子であることを特徴とする請求項３記載の電源投入順序制御回路。
【請求項５】
入力電圧が共通に印加される第１〜第ｎ（ｎは３以上の整数）の電源回路を含み、前記第２〜第ｎの電源回路の各々は自回路を活性状態に制御する制御端子を有する電源システムであって、
前記入力電圧の印加に応答して出力される前記第１の電源回路の出力を基に、前記第２の電源回路の前記制御端子に対して活性制御信号を出力すると共に、前記第ｉ（ｉは２〜ｎ−１の整数）の電源回路の出力を基に、前記第（ｉ＋１）の電源回路の前記制御端子に対して活性制御信号を出力する制御手段を含み、
前記制御手段は、さらに、前記第２の電源回路の出力を基に、前記第２の電源回路の前記制御端子に対して活性制御信号を出力すると共に、前記第（ｉ＋１）の電源回路の出力を基に、前記第（ｉ＋１）の電源回路の前記制御端子に対して活性制御信号を出力することを特徴とする電源システム。
【請求項６】
入力電圧が共通に印加される第１〜第ｎ（ｎは３以上の整数）の電源回路を含み、前記第２〜第ｎの電源回路の各々は自回路を活性状態に制御する制御端子を有する電源システムにおける電源投入制御方法であって、
前記入力電圧を前記第１の電源回路へ印加するステップと、
前記入力電圧の印加に応答して出力される前記第１の電源回路の出力を基に、前記第２の電源回路の前記制御端子に対して活性制御信号を出力するとステップと、
以後、前記第ｉ（ｉは２〜ｎ−１の整数）の電源回路の出力を基に、前記第（ｉ＋１）の電源回路の前記制御端子に対して活性制御信号を順次出力するステップとを含み、
前記第２の電源回路の出力を基に、前記第２の電源回路の前記制御端子に対して活性制御信号を出力するステップと、前記第（ｉ＋１）の電源回路の出力を基に、前記第（ｉ＋１）の電源回路の前記制御端子に対して活性制御信号を出力するステップとをさらに含むことを特徴とする電源投入制御方法。
【発明の詳細な説明】
【０００１】
【発明の属する技術分野】
本発明は電源システム及びその電源投入順序制御回路並びにその方法に関し、特に入力電圧が共通に印加される第１及び第２の電源回路を含み、少なくとも第２の電源回路は自回路を活性状態にするための制御端子を有する電源システム及びその電源投入順序制御回路並びにその方法に関する。
【０００２】
【従来の技術】
図２は従来の電源システムの構成を示す図である。図２において、従来の電源システムは、データ通信等を行う装置１０と、装置１０に電源を供給するための局舎電源（例えば、−４８Ｖ）２とを有している。装置１０は、共通スイッチ３と、オンボード電源（ＯＢＰ）１２−１〜１２−４が搭載されたパッケージ１１−１〜１１−４とを有している。
【０００３】
共通スイッチ３は、装置１０内に設置され、スイッチのオン／オフにより局舎電源２からの電源の供給／遮断を行う。パッケージ１１−Ｎ（Ｎは１〜４の整数）は、ＯＢＰ１２−Ｎを搭載したパッケージであり、装置１０内に実装される。各ＯＢＰ１２−１〜１２−４は、局舎電源２からの例えば−４８Ｖの電源が入力端子（ＩＮ端子）に入力されることにより、出力端子（ＯＵＴ端子）から図示せぬ集積回路を駆動可能な電源（＋５Ｖ，−５．２Ｖ，＋３．３Ｖ等）を出力することのできるＤＣ／ＤＣコンバータである。
【０００４】
このような構成の従来の電源システムでは、共通スイッチ３がオンされると、局舎電源２より装置１０に例えば−４８Ｖの電源が供給され、装置１０内に実装された複数のパッケージ１１−１〜１１−４に搭載されたＯＢＰ１２−１〜１２−４に電源が供給される。ＯＢＰ１２−１〜１２−４に電源が供給されることにより、図示せぬ集積回路を駆動可能な電源がＯＢＰ１２−１〜１２−４から出力され、装置１０が起動されることとなる。
【０００５】
しかし、このような構成の従来の電源システムでは、共通スイッチ３をオンすることにより、複数のパッケージ１１−１〜１１−４に一斉に電源が供給されるため、各パッケージ内のＯＢＰ１２−１〜１２−４に多大な突入電流が発生してしまう。すなわち、電源投入時の突入電流が増大することで、ＯＢＰ１２−１〜１２−４が破損し、または、誤動作をおこす原因となる。
【０００６】
また、共通スイッチ３をオンすることにより、複数のパッケージ１１−１〜１１−４にほぼ同時に電源が供給されるため、各パッケージ１１−１〜１１−４の立ち上げが、ＯＢＰ１２−１〜１２−４のばらつきやパッケージ内の負荷等に左右される。すなわち、パッケージ１１−１〜１１−４の立ち上げ動作が不安定になり、装置１０の立ち上げに影響を及ぼすことになる。
【０００７】
次に、過大突入電流の防止を目的とした特開昭６０−６６６２７号公報（第１の公報）に記載の過大突入電流防止回路について説明する。図３は第１の公報に記載の過大突入電流防止回路の構成を示す図である。
【０００８】
図３において、２１は交流入力であり、２２はスイッチであり、２３，２４及び２５は電源回路であり、２６及び２７はリレー回路であり、２８，２９及び３０は直流出力である。ここで、スイッチ２２を入れると電源回路２３に交流入力２１が印加され、直流出力２８が出る。
【０００９】
その出力によりリレー回路２６のリレーが動作し、接点スイッチが閉じるため、電源回路２４に交流入力２１が印加され、直流出力２９が出る。その出力によりリレー回路２７のリレーが動作し、接点スイッチが閉じ、電源回路２５に交流入力２１が印加され、直流出力３０が出る。このように、電源回路２３，２４及び２５に対して交流入力２１を時間遅れをもって印加することにより、突入電流の増大を抑えることとしている。
【００１０】
【発明が解決しようとする課題】
図３に示した第１の公報に記載の過大突入電流防止回路では、上述のように、電源回路２４及び２５の交流入力２１入力段にリレー回路２６及び２７を設けて、前段の電源回路の出力によってリレー回路２６及び２７を動作させることにより、電源回路２４及び２５への交流入力２１の印加を制御している。しかしながら、突入電流の増大を抑えるためにリレー回路２６及び２７を用いたのでは、それらリレー回路２６及び２７によって消費電力が大きくなってしまうという問題がある。
【００１１】
さらに、第１の公報に記載の過大突入電流防止回路では、リレー回路２６及び２７を用いており、交流入力２１ラインに直列にこれ等リレー回路２６及び２７が挿入されているので、リレー回路２６及び２７の容量が大なるものが必要であると共に、各リレーの接点スイッチでスパークが発生するという問題がある。
【００１２】
本発明の目的は、電源回路の電源入力段にリレー回路を用いることなく、電源投入時の突入電流を軽減することができる電源システム及びその電源投入順序制御回路並びにその方法を提供することである。
【００１３】
【課題を解決するための手段】
本発明による電源システムは、入力電圧が共通に印加される第１及び第２の電源回路を含み、少なくとも前記第２の電源回路は自回路を活性状態に制御する制御端子を有する電源システムであって、前記入力電圧の印加に応答して出力される前記第１の電源回路の出力を基に、前記第２の電源回路を活性状態とすべく前記第２の電源回路の前記制御端子に対して活性制御信号を出力する制御手段を有する電源投入順序制御回路を含み、前記制御手段は、さらに、前記第２の電源回路の出力を基に、前記第２の電源回路の前記制御端子に対して前記活性制御信号を出力することを特徴とする。
【００１５】
さらに、前記電源システムにおいて、前記第１及び第２の電源回路は、オンボード電源であり、前記制御端子は、リモートコントロール端子であることを特徴とする。
【００１６】
本発明による電源投入順序制御回路は、入力電圧が共通に印加される第１及び第２の電源回路を含み、少なくとも前記第２の電源回路は自回路を活性状態に制御する制御端子を有する電源システムにおける電源投入順序制御回路であって、前記入力電圧の印加に応答して出力される前記第１の電源回路の出力を基に、前記第２の電源回路を活性状態とすべく前記第２の電源回路の前記制御端子に対して活性制御信号を出力する制御手段を含み、前記制御手段は、さらに、前記第２の電源回路の出力を基に、前記第２の電源回路の前記制御端子に対して前記活性制御信号を出力することを特徴とする。
【００１８】
さらに、前記電源投入順序制御回路において、前記第１及び第２の電源回路は、オンボード電源であり、前記制御端子は、リモートコントロール端子であることを特徴とする。
【００１９】
本発明による電源システムは、入力電圧が共通に印加される第１〜第ｎ（ｎは３以上の整数）の電源回路を含み、前記第２〜第ｎの電源回路の各々は自回路を活性状態に制御する制御端子を有する電源システムであって、前記入力電圧の印加に応答して出力される前記第１の電源回路の出力を基に、前記第２の電源回路の前記制御端子に対して活性制御信号を出力すると共に、前記第ｉ（ｉは２〜ｎ−１の整数）の電源回路の出力を基に、前記第（ｉ＋１）の電源回路の前記制御端子に対して活性制御信号を出力する制御手段を含み、前記制御手段は、さらに、前記第２の電源回路の出力を基に、前記第２の電源回路の前記制御端子に対して活性制御信号を出力すると共に、前記第（ｉ＋１）の電源回路の出力を基に、前記第（ｉ＋１）の電源回路の前記制御端子に対して活性制御信号を出力することを特徴とする。
【００２１】
本発明による電源投入制御方法は、入力電圧が共通に印加される第１〜第ｎ（ｎは３以上の整数）の電源回路を含み、前記第２〜第ｎの電源回路の各々は自回路を活性状態に制御する制御端子を有する電源システムにおける電源投入制御方法であって、前記入力電圧を前記第１の電源回路へ印加するステップと、前記入力電圧の印加に応答して出力される前記第１の電源回路の出力を基に、前記第２の電源回路の前記制御端子に対して活性制御信号を出力するとステップと、以後、前記第ｉ（ｉは２〜ｎ−１の整数）の電源回路の出力を基に、前記第（ｉ＋１）の電源回路の前記制御端子に対して活性制御信号を順次出力するステップとを含み、前記第２の電源回路の出力を基に、前記第２の電源回路の前記制御端子に対して活性制御信号を出力するステップと、前記第（ｉ＋１）の電源回路の出力を基に、前記第（ｉ＋１）の電源回路の前記制御端子に対して活性制御信号を出力するステップとをさらに含むことを特徴とする。
【００２２】
本発明の作用は次の通りである。制御手段が第１の電源回路の出力を基に、第２の電源回路の制御端子に活性制御信号を出力することにより、第２の電源回路が活性状態とされる。これにより、活性制御信号に応答して起動された第２の電源回路は、第１の電源回路と共通の入力電圧を変換して出力する。また、制御手段は、第２の電源回路の出力をも基に、第２の電源回路の制御端子に活性制御信号を出力するので、故障等により第１の電源回路の出力が断となったり、変化しても、第２の電源回路の動作を維持することができる。さらに、第３の電源回路以降も、前段の電源回路の出力を基に活性制御するようにすることで、電源投入の順序制御が簡単になされることになる。
【００２３】
【発明の実施の形態】
以下に、本発明の実施例について図面を用いて説明する。図１は本発明の実施例による電源システムの構成を示す図であり、図２と同等部分は同一符号にて示している。図１において、本発明の実施例による電源システムは、装置１と、局舎電源２とを有している。装置１は、データ通信等を行う装置であり、局舎電源２は、装置１に電源を供給するための局舎電源（例えば、−４８Ｖ）である。
【００２４】
装置１は、共通スイッチ３と、パッケージ４−１〜４−４とを有している。共通スイッチ１は、装置１内に設置され、スイッチのオン／オフにより局舎電源２からの電源の供給／遮断を行う。パッケージ４−Ｎ（Ｎは１〜４の整数）はオンボード電源（ＯＢＰ）５−Ｎを搭載したパッケージであり、装置１０に実装され、パッケージ４−ＮはＮ番目に実装される。
【００２５】
ＯＢＰ５−１〜５−４は、例えば−４８Ｖの局舎電源２からの入力電圧が入力端子（ＩＮ端子）に入力されることにより、出力端子（ＯＵＴ端子）から図示せぬ集積回路を駆動可能な電源（＋５Ｖ，−５．２Ｖ，＋３．３Ｖ等）を出力することができるＤＣ／ＤＣコンバータであり、自ＯＢＰを活性状態に制御するためのリモートコントロール端子（ＲＣ端子）を備えている。なお、ＯＢＰ５−１〜５−４の出力は、出力確認回路６−１〜６−４だけでなく、図示せぬ集積回路にも供給される。
【００２６】
パッケージ４−Ｎに搭載された出力確認回路６−Ｎは、ＯＢＰ５−ＮのＯＵＴ端子より、＋５Ｖ，−５．２Ｖ，＋３．３Ｖ等の電源が出力されたことを確認する回路で、ＯＢＰ５−Ｎの出力を確認すると、確認通知信号７−Ｎを出力する。
【００２７】
パッケージ４−２に搭載された制御回路８−２は、その前段のパッケージ４−１に搭載された出力確認回路６−１からの確認通知信号７−１に応答して、自パッケージ４−２のＯＢＰ５−２のＲＣ端子に対して活性制御信号９−２を出力する回路である。制御回路８−２は、さらに、自パッケージ４−２に搭載された出力確認回路６−２からの確認通知信号７−２に応答してＯＢＰ５−２のＲＣ端子に対して活性制御信号９−２を出力する。
【００２８】
同様に、パッケージ４−３に搭載された制御回路８−３は、その前段のパッケージ４−２に搭載された出力確認回路６−２からの確認通知信号７−２及び自パッケージ４−３に搭載された出力確認回路６−３からの確認通知信号７−３に応答して、自パッケージ４−３のＯＢＰ５−３のＲＣ端子に対して活性制御信号９−３を出力する回路である。
【００２９】
同様に、パッケージ４−４に搭載された制御回路８−４は、その前段のパッケージ４−３に搭載された出力確認回路６−３からの確認通知信号７−３及び自パッケージ４−４に搭載された出力確認回路６−４からの確認通知信号７−４に応答して、自パッケージ４−４のＯＢＰ５−４のＲＣ端子に対して活性制御信号９−４を出力する回路である。なお、本実施例では、パッケージ４−１には制御回路８−２〜８−４と同等の制御回路は搭載されておらず、従って、制御回路８−１は存在しない。
【００３０】
本実施例では、出力確認回路６−１〜６−４と制御回路８−２〜８−４とにより電源投入順序制御回路（過大突入電流防止回路）を構成している。
【００３１】
次に、本発明の実施例による電源システムの動作について図１を用いて説明する。図１において、共通スイッチ３がオンされると、局舎電源２より装置１に例えば−４８Ｖの電源が供給され、装置１内に実装された複数のパッケージ４−１〜４−４に搭載されたＯＢＰ５−１〜５−４に電源が供給される。
【００３２】
しかし、このとき、各ＯＢＰ５−２〜５−４のＲＣ端子には、制御回路８−２〜８−４からの活性制御信号９−２〜９−４が入力されていないため、すなわち、各ＯＢＰ５−２〜５−４は非活性状態に制御されているため、各ＯＢＰ５−２〜５−４のＯＵＴ端子より＋５Ｖ，−５．２Ｖ，＋３．３Ｖ等の電源は出力されない。
【００３３】
これに対して、制御回路を使用していないパッケージ４−１では、そのＯＢＰ５−１は活性状態であるから、パッケージ４−１より動作しはじめる。まず、パッケージ４−１のＯＢＰ５−１が動作することにより、ＯＢＰ５−１のＯＵＴ端子より＋５Ｖ，−５．２Ｖ，＋３．３Ｖ等の電源が出力される。これにより、出力確認回路６−１が動作し、確認通知信号７−１が送出される。
【００３４】
確認通知信号７−１はパッケージ４−２の制御回路８−２に送られる。制御回路８−２は、確認通知信号７−１に応答して活性制御信号９−２をＯＢＰ５−２のＲＣ端子に出力する。これにより、ＯＢＰ５−２のＲＣ端子に制御がかかり、ＯＢＰ５−２が起動される。そして、起動されたＯＢＰ５−２のＯＵＴ端子より＋５Ｖ，−５．２Ｖ，＋３．３Ｖ等の電源が出力されることで、出力確認回路６−２が動作し、確認通知信号７−２が送出される。
【００３５】
確認通知信号７−２は、自パッケージ４−２の制御回路８−２と後段のパッケージ４−３の制御回路８−３とに送られる。このように、制御回路８−２に対して前段の出力確認回路６−１からの確認通知信号７−１のみならず、自パッケージ４−２の出力確認回路６−２からの確認通知信号７−２をも入力している理由は、一度立ち上げが完了した後に、前段のＯＢＰ５−１の故障やパッケージ４−１の抜去等によって、前段の確認通知信号７−１がなくなったときに、ＯＢＰ５−２の出力が停止しないようにするためである。
【００３６】
出力確認回路６−２からの確認通知信号７−２に応答して、パッケージ４−３はパッケージ４−２と同様の動作を行い、出力確認回路６−３からの確認通知信号７−３に応答して、パッケージ４−４も同様の動作を行う。なお、最後に活性化されるパッケージ４−４にも出力確認回路６−４が搭載されているが、これは、前段の確認通知信号７−３がなくなったときに、ＯＢＰ５−４の出力が停止しないようにするため、出力確認回路６−４からの確認通知信号７−４が制御回路に８−４に入力される。
【００３７】
このように、本発明の実施例による電源システムでは、１番目に実装したパッケージ４−１から４番目に実装したパッケージ４−４まで順番に立ち上がるよう制御することができるので、突入電流の増加を抑えることができる。
【００３８】
また、主要なパッケージより順序よく立ち上げていくことができるので、装置１の立ち上げを安定に行うことができる。さらに、電源投入順序の処理をソフトウェアを使用することなく実現しているので、各パッケージの実装位置の変更や、バックボードのパターン変更のみで各パッケージの立ち上げ順番を容易に制御することができる。
【００３９】
なお、本発明の実施例による電源システムでは、パッケージが４−１〜４−４の４つである場合（ｎ＝４の場合）を示したが、これに限定されるものではなく、５つ以上の場合にも適用できることは明らかである。
【００４０】
【発明の効果】
本発明による第１の効果は、電源回路の電源入力段にリレー回路を用いることなく、電源投入時の突入電流を軽減することができることである。その理由は、第２〜第ｎの電源回路が有する制御端子を用いることとして、第１の電源回路の出力を基に、第２の電源回路の制御端子に活性制御信号を出力して第２の電源回路を活性状態とし、第３の電源回路以降も、前段の電源回路の出力を基に順次活性状態に制御するためである。
【００４１】
本発明による第２の効果は、第１の電源回路の出力を基に第２の電源回路を起動せしめるようにしながらも、第１の電源回路の出力が断となったり、変化しても、起動させた第２の電源回路の動作を維持することができることである。その理由は、第１の電源回路の出力に加えて第２の電源回路の出力をも基に、第２の電源回路の制御端子に活性制御信号を出力するようにし、第３の電源回路以降も、前段の電源回路の出力に加えて自電源回路の出力をも基に、その制御端子に活性制御信号を出力するためである。
【図面の簡単な説明】
【図１】本発明の実施例の電源システムの構成を示す図である。
【図２】従来の電源システムの構成を示す図である。
【図３】従来の過大突入電流防止回路の構成を示す図である。
【符号の説明】
１    装置
２    局舎電源
３    共通スイッチ
４−１〜４−４    パッケージ
５−１〜５−４    オンボード電源
６−１〜６−４    出力確認回路
７−１〜７−４    確認通知信号
８−２〜８−４    制御回路
９−２〜９−４    活性制御信号
【図１】
0003686847.tif 000002
【図２】
0003686847.tif 000003
【図３】
0003686847.tif 000004